(57)【要約】【課題】  外部衝撃に弱い部分の梱包を充分としながら全体梱包を簡素化して梱包材料を大幅に削減し、それでいて、梱包された製品の取扱いや運搬等を安定的におこなえるようにする。【解決手段】  被梱包物Ａにおける外部衝撃に弱い部分１が衝撃を緩和する梱包体２、２にて梱包され、外部衝撃に強い部分３が梱包体２、２より露出されている。【選択図】        図１
2005280721.tif 000002
【特許請求の範囲】
【請求項１】
被梱包物において外部衝撃に弱い部分が衝撃を緩和する梱包体にて梱包され、外部衝撃に強い部分が梱包体より露出されていることを特徴とする梱包構造。
【請求項２】
露出させた外部衝撃に強い部分がフィルム状の略透明材料にて覆われていることを特徴とする請求項１記載の梱包構造。
【請求項３】
露出させた外部衝撃に強い部分に被梱包物の重心が位置していることを特徴とする請求項１記載の梱包構造。
【請求項４】
露出させた外部衝撃に強い部分の一部を持ち運び時の把手部とすることを特徴とする請求項１記載の梱包構造。
【発明の詳細な説明】
【技術分野】
【０００１】
本発明は、照明器具のような被梱包物の梱包構造に関し、詳しくは、外部衝撃に弱い部分の梱包を充分としながら梱包を簡素化して梱包材料を大幅に削減し、それでいて、梱包品の取扱いや運搬等を安定的におこなえるようにしようとする技術に係るものである。
【背景技術】
【０００２】
図３及び図４に示すように、ベース部７にポール部８を立設し、ポール部８の先端に灯具部９を取付け、灯具部９にセード部１０を被せるフロアスタンドのような照明器具６を梱包するのに際して、セード部１０及びベース部７を除くポール部８と灯具部９から構成される本体部１１の梱包においては、従来では図７に示すように、灯具部９を小箱状の梱包体２ａにて梱包し、ポール部８を長尺箱状の梱包体２ｂにて梱包し、梱包体２ａ、２ｂを一体化するものが一般的である。この場合、ベース部７及びセード部１０は別に梱包箱体（図示せず）にて梱包されている。
【０００３】
このような従来の梱包構造においては、充分な梱包がおこなえるが、ポール部８を梱包する梱包体２ｂが長尺箱状となって梱包材料が大量に必要となり、嵩高にもなり、梱包品Ｐの運搬及び取扱いが面倒になるなどという問題があった。
【０００４】
梱包材料を削減する梱包構造として、特開２００３−１９２０３５号に示すように、梱包体に開口部を形成し、開口部を封かんテープにて覆うシースルー形態のものが挙げられる。（例えば、特許文献１参照）
上記特許文献１に示される梱包構造にあっては、開口部を形成して開口部を封かんテープにて塞ぐとはいえ、被梱包物の略全体が梱包されていて、梱包材料を充分に削減させるものではなく、梱包品の取扱いや運搬等が従来通り面倒であるという問題がある。
【特許文献１】特開２００３−１９２０３５号公報
【発明の開示】
【発明が解決しようとする課題】
【０００５】
本発明はこのような問題に鑑みて発明したものであって、外部衝撃に弱い部分の梱包を充分としながら梱包を簡素化して包装材料を大幅に削減し、それでいて、梱包された梱包品の取扱いや運搬等を安定的におこなうことができる梱包構造を提供することを課題とするものである。
【課題を解決するための手段】
【０００６】
請求項１の発明においては、被梱包物Ａにおいて外部衝撃に弱い部分１が衝撃を緩和する梱包体２、２にて梱包され、外部衝撃に強い部分３が露出されていることを特徴とするものである。
【０００７】
このような構成によれば、被梱包物Ａにおいて外部衝撃に弱い部分１が衝撃を緩和する梱包体２、２にて梱包されて外部衝撃に弱い部分１の梱包を充分としながら、外部衝撃に強い部分３を積極的に露出させることで荷扱いに際して損傷されるのを回避し、包装材料を大幅に削減することができる。
【０００８】
請求項２の発明においては、露出させた外部衝撃に強い部分３がフィルム状の略透明材料４にて覆われていることを特徴とするものである。
【０００９】
このような構成によれば、露出させた部分がフィルム状の略透明材料４にて覆われていて、露出している部分の視認ができて荷扱いを安心しておこなえ、衝撃に強いが露出されている部分が汚れることがなく、かつ、梱包が容易である。
【００１０】
請求項３の発明においては、露出させた外部衝撃に強い部分３に被梱包物Ａの重心が位置していることを特徴とするものである。
【００１１】
このような構成によれば、外部衝撃に強くて露出している部分に被梱包物Ａの重心が位置していて、梱包体２より露出している被梱包物Ａの重心部分を持つことで、梱包品Ｐの運搬及び取扱いが楽におこなえる。
【００１２】
請求項４の発明においては、露出させた外部衝撃に強い部分３の一部を持ち運び時の把手部５とすることを特徴とするものである。
【００１３】
このような構成によれば、外部衝撃に強く露出された部分３の一部を把手部５とすることで、梱包品Ｐの運搬及び取扱いが、一層、楽になる。
【発明の効果】
【００１４】
要するに本発明においては、被梱包物において外部衝撃に弱い部分が衝撃を緩和する梱包体にて梱包されていて梱包を充分としながら、外部衝撃に強い部分を積極的に露出させることから、荷扱いに際して損傷されるのを回避し、梱包品の取扱いや運搬等を安定的におこなうことができ、包装材料を大幅に削減することができる。
【発明を実施するための最良の形態】
【００１５】
以下、本発明を添付図面に示す実施形態に基いて説明する。図１は本発明の実施の一形態の分解斜視図である。図２は斜視図である。図３は照明器具の分解斜視図、図４は照明器具の全体斜視図である。
【００１６】
梱包される例えばフロアスタンドのような照明器具６は、ベース部７、本体部１１、セード部１０から構成されている。本体部１１は、下端にねじ部１２が形成されてベース部７にねじ込まれて立設されるポール部８、ポール部８の上端部に形成されていてソケット１７を備えて電球が取付けられる灯具部９、及び、ポール部８に挿通されてソケット１３に通電する給電線１３などから構成されている。給電線１３の口出し線１６はベース部７より導出されていて電源線１４に接続される接続具１５を備えている。
【００１７】
照明器具６の本体部１１は、大量の包装材料が必要となって大型化されやすいものであり、このような本体部１１を被梱包物Ａとして本発明の実施の形態として詳述する。なお、円板状のベース部７及び円筒状のセード部１０は、別々に梱包体（図示せず）に梱包される。
【００１８】
本体部１１において、ポール部８は金属鋼管から形成されて支柱となり、内部に挿通した給電線１３を保護し、外部衝撃には強いものである。ところが、ポール部８の下端部のねじ部１２、口出し線１６、接続具１５及び上端部の灯具部９のソケット１７などは外部衝撃には弱いものである。
【００１９】
ポール部８の下端部には、例えば、ウレタン発泡樹脂やダンボール紙等の衝撃を緩和する材料にて形成された円筒状の梱包体２を被せて梱包し、外部衝撃に弱いねじ部１２、口出し線１６及び接続具１５を保護している。ポール部８の上端部のソケット１７などは、例えば、ウレタン発泡樹脂製で二つ割りの箱状の梱包体２にて梱包して、外部衝撃に弱いソケット１７などを保護している。二つ割りの箱状の梱包体２の各半体２ｃには収納凹所１８が形成されてソケット１７やポール部８の先端部が収納される。半体２ｃ、２ｃを合わせてテープ１９などで止めている。ポール部８には、例えば、ポリエチレン製で透明または半透明なフィルム状の略透明材料４が被せられてポール部８が外部から視認できるようにしている。ポール部８の中間部には照明器具６の重心が位置している。
【００２０】
このように、本発明においては、外部衝撃に弱い部分１であるねじ部１２、口出し線１６、接続具１５及びソケット１７が衝撃を緩和する梱包体２、２にて梱包され、外部衝撃に強い部分３であるポール部８が梱包体２、２の間で露出されているのである。
【００２１】
したがって、外部衝撃に弱い部分１が衝撃を緩和する梱包体２、２にて梱包されて外部衝撃に弱い部分の梱包を充分としながら、外部衝撃に強い部分３が露出されていて包装材料を大幅に削減することができるのである。
【００２２】
この場合、外部衝撃に強い部分３であるポール部８が露出され、露出させた部分がフィルム状の略透明材料４にて覆われていて、露出しているポール部８の視認ができ、衝撃に強いが露出されている部分が汚れることがなく、かつ、梱包が容易となるのである。更に、露出させたポール部８部分に被梱包物Ａの重心が位置していて、梱包体２より露出している重心部分を持つことで、梱包品Ｐの運搬及び取扱いが楽におこなえるのである。また、露出させたポール部８部分の一部を持ち運び時の把手部５とすることで、梱包品Ｐの運搬及び取扱いが、一層、楽になるのである。
【００２３】
図５は他の実施の形態を示し、照明器具６は、ポール部８がベース部７に固定されて支持され、ポール部８からソケット１７を備える灯具部９が分離可能に構成されていて、固定されたポール部８とベース部７を被梱包物Ａとする。なお、灯具部９を構成しているソケット１７、電灯、及び、セード部１０などの外部衝撃に弱い部分１は衝撃を緩和する梱包体２にて梱包される。照明器具６の使用時に給電線１３がソケット１７に接続される。
【００２４】
被梱包物Ａにおいて、外部衝撃に強い部分３であるポール部８の先端部にまでフィルム状の略透明材料４を被せてポール部８を露出させ、ポール部８を固定して立設させていて例えば塗装やメッキが施されて塗膜やメッキ層が衝撃で損傷されやすく外部衝撃に弱い部分１であるベース部７を発泡ウレタン板や段ボール紙などの外部衝撃を緩和する梱包体２にて梱包している。
【００２５】
このように、本発明においては、被梱包物Ａは種々のものがあり、要するに、外部衝撃に弱い部分１と外部衝撃に強い部分３があればよく、当然に、照明器具６以外のものでもよい。
【図面の簡単な説明】
【００２６】
【図１】本発明の実施の一形態の分解斜視図である。
【図２】同上の全体斜視図である。
【図３】同上の照明器具の分解斜視図である。
【図４】全体斜視図である。
【図５】他の実施形態の分解斜視図である。
【図６】同上の照明器具の全体斜視図である。
【図７】従来例の全体斜視図である。
【符号の説明】
【００２７】
１  外部衝撃に弱い部分
２  梱包体
３  外部衝撃に強い部分
４  略透明材料
５  把手部
Ａ  被梱包物
【図１】
2005280721.tif 000003
【図２】
2005280721.tif 000004
【図３】
2005280721.tif 000005
【図４】
2005280721.tif 000006
【図５】
2005280721.tif 000007
【図６】
2005280721.tif 000008
【図７】
2005280721.tif 000009